(57)【特許請求の範囲】
【請求項１】
無線タグと、その無線タグと通信をする複数の無線タグリーダとを備え、前記複数の無線タグリーダは、通信圏が互いに重複するように配置された無線タグシステムであって、
前記複数の無線タグリーダは、無線タグからの信号を受信した場合、複数の無線タグリーダに共通の共通送信期間に、前記無線タグにコマンドを送信し、
前記無線タグは、信号を送信後、前記共通送信期間に前記無線タグリーダから送信される可能性があるコマンドを受信できる受信期間を受信可能状態とし、
その受信期間に無線タグリーダからコマンドを受信しなかったと判断した場合には受信期間が経過したことに基づいて待機状態とし、
その受信期間に前記コマンドの受信に成功した場合、受信したコマンドに基づく処理を行い、
その受信期間に受信した電波が受信エラーであった場合に、その受信エラーを、受信エラーであることに基づいて定まるコマンドとみなし、そのコマンドに基づく処理を行うことを特徴とする無線タグシステム。
【請求項２】
請求項１において、
前記無線タグリーダは、
前記共通送信期間として、複数の共通送信期間を設定可能に構成し、
第１コマンドを指示するときは、最初の共通送信期間で第１コマンドを送信し、他のコマンドを指示するときは、それ以降の共通送信期間でコマンドを送信し、
前記無線タグは、
前記信号を送信後、前記受信期間を、前記複数の共通送信期間のそれぞれを受信可能とするための複数スロット分として、受信を行い、
最初のスロットで受信した電波が受信エラーであった場合には、その受信エラーを第１コマンドとみなし、第１コマンドに基づく処理を行うことを特徴とする無線タグシステム。
【請求項３】
請求項２において、
前記無線タグリーダは、第1コマンドとは別の第２コマンドを指示するときは、２回目の共通送信期間で第２コマンドを送信し、第１コマンド、第２コマンド以外のコマンドを指示するときは、それ以降の共通送信期間でコマンドを送信し、
前記無線タグは、前記第２コマンドに対応する２番目のスロットで受信した電波が受信エラーであった場合には、その受信エラーを第２コマンドとみなし、第２コマンドに基づく処理を行うことを特徴とする無線タグシステム。
【請求項４】
請求項３において、
前記無線タグは、前記最初のスロットで受信した電波に基づいてコマンドの受信に成功した場合、２番目以降のスロット以降を受信することなく、受信可能状態を終了することを特徴とする無線タグシステム。
【請求項５】
請求項２において、
前記無線タグリーダは、
前記共通送信期間として、２つの共通送信期間を設定可能に構成し、
前記第1コマンドとは別の第２コマンドを指示するときは、２回目の共通送信期間で第２コマンドを送信し、
前記無線タグは、
前記信号を送信後、前記受信期間を、前記２つの共通送信期間のそれぞれを受信可能とするための２スロット分として、受信を行い、
２番目のスロットで受信した電波が受信エラーであった場合には、前記無線タグリーダに、コマンドの再送信を要求する信号を送信し、
前記無線タグリーダは、コマンドの再送信を要求する信号を受信した場合、無線タグリーダ毎に異なる予め設定されたスロットで前記他のコマンドを再送し、
前記無線タグは、複数の無線タグリーダの全てからコマンドが受信できる期間だけ受信可能状態とすることを特徴とする無線タグシステム。
【請求項６】
請求項３または４において、
前記無線タグリーダは、
前記共通送信期間として、２つの共通送信期間を設定可能に構成し、
当該無線タグリーダとの間で前記無線タグが通信可能な範囲であって、その範囲に含まれる警戒圏内を除いた範囲を通信圏内とし、
前記無線タグが前記警戒圏内に位置しているか否かを判断するタグ位置判断手段を備え、
そのタグ位置判断手段により前記無線タグが警戒圏内にいると判断した場合であって、無線タグからの信号を受信した場合には、最初の共通送信期間にて、無線タグに警戒圏内であることを示す警戒圏内コマンドを送信し、
前記無線タグは、
前記通信圏内または前記警戒圏内であると判断している状態では、前記信号を送信後、前記受信期間を２スロット分として受信を行い、
通信圏内であると判断している状態において、前記警戒圏内コマンドを受信した場合、または、最初のスロットで受信した電波が受信エラーであった場合には、警戒圏内へ移動したと判断し、信号送信間隔を、通信圏内のときよりも短くすること、および、信号の１回の送信時間を通信圏内のときの送信時間よりも長くすることのいずれか少なくとも一方を行うことを特徴とする無線タグシステム。
【請求項７】
請求項６において、
前記無線タグリーダは、前記タグ位置判断手段により無線タグが警戒圏内にいないと判断した場合であって、無線タグからの信号を受信した場合には、２番目のスロットにて、無線タグに通信圏内であることを示す通信圏内コマンドを送信し、
無線タグは、
警戒圏内であると判断している状態において、前記警戒圏内コマンドを受信せず、且つ、最初のスロットで受信した電波が受信エラーでなく、さらに、
前記通信圏内コマンドを受信した場合、または、２番目のスロットで受信した電波が受信エラーであった場合には、通信圏内へ移動したと判断し、信号送信間隔を、警戒圏内のときよりも長くすること、および、信号の１回の送信時間を警戒圏内のときの送信時間よりも短くすることのいずれか少なくとも一方を行うことを特徴とする無線タグシステム。
【請求項８】
請求項２において、
前記無線タグは、複数の無線タグリーダのいずれとも通信を行うことができないことに基づいて通信圏外と判断し、通信圏外であると判断している状態では、通信圏外であると判断している場合に送信する通信圏外時信号を送信後、前記受信期間を１スロット分として受信を行い、
前記無線タグリーダは、前記無線タグから通信圏外時信号を受信した場合には、無線タグに、通信圏内に入ったことを通知するために、通信圏内であることを示す通信圏内コマンドを最初の共通送信期間に送信し、
無線タグは、通信圏外であると判断している状態において、前記通信圏内コマンドを受信した場合、または、受信した電波が受信エラーであった場合には、通信圏内へ移動したと判断し、信号送信間隔を、通信圏外のときよりも短くすること、および、信号の１回の送信時間を通信圏外のときよりも長くすることのいずれか少なくとも一方を行うことを特徴とする無線タグシステム。
【請求項９】
請求項６〜８のいずれか１項において、
前記無線タグは、通信圏内であると判断しているときであって、最初のスロット、２番目のスロットともに、前記無線タグリーダからの信号を受信しなかったと判断した場合には、通信圏外へ移動したと判断し、信号送信間隔を、通信圏内のときよりも長くすることを特徴とする無線タグシステム。
【請求項１０】
請求項６または７か１項において、
前記タグ位置判断手段は、前記無線タグからの電波の受信強度に基づいて、無線タグが前記警戒圏内に位置しているか否かを判断することを特徴とする無線タグシステム。
【請求項１１】
請求項６、７、１０のいずれか１項において、
前記通信圏内から警戒圏内へ、および、警戒圏内から通信圏内への物体の移動を検知する物体検知手段を備え、
前記タグ位置判断手段は、前記物体検知手段の検知結果に基づいて、無線タグが前記警戒圏内に位置しているか否かを判断することを特徴とする無線タグシステム。
【発明の詳細な説明】
【技術分野】
【０００１】
本発明は、無線タグと無線タグリーダとからなる無線タグシステムに関し、特に、携帯される無線タグに対して、無線タグを読み取る無線タグリーダが複数設置された無線タグシステムにおいて、無線タグの電力消費を抑制する技術に関する。
【背景技術】
【０００２】
無線タグと無線タグリーダとからなる無線タグシステムにおいては、複数の無線タグリーダの通信エリアが互いに重複する場合も多い。複数の無線タグリーダの通信エリアが重複する場合、複数の無線タグリーダからの信号が衝突してしまうことにより、無線タグと無線タグリーダとの通信ができなくなってしまうことがある。
【０００３】
そこで、特許文献１では、各無線タグリーダは、タグからの信号を用いて時刻の同期を図り、信号送信時期が互いに重ならないようにして、無線タグへ信号を送信している。これにより、タグは、複数のタグリーダの通信エリア内であっても、タグリーダを特定して通信を行って、タグリーダからコマンドを受信することができる。また、もちろん、一つのタグリーダのみの通信エリアであっても、そのタグリーダと通信を行って、タグリーダからコマンドを受信することができる。
【０００４】
また、特許文献１では、タグリーダから送信する情報に、セキュリティレベルの情報を含ませている。その情報を受信した無線タグは、そのセキュリティレベルに応じて起動周期を変更している。これにより、高いセキュリティレベルのエリアでの迅速な警告を可能としつつ、低いセキュリティレベルのエリアで起動周期を長くするので、電池消耗が抑えられる。
【０００５】
一方で携帯される無線タグでは、無線タグリーダが１台も存在しないエリアに滞在する時間が非常に長いという特徴がある。この場合起動周期を長くし過ぎれば、無線タグリーダとの通信圏内に入ったときに、無線タグと無線タグリーダは必要な通信ができないことがあるため、起動時間は適度な周期に設定する必要がある。
【先行技術文献】
【特許文献】
【０００６】
【特許文献１】特許第４０３７４２１号公報
【発明の概要】
【発明が解決しようとする課題】
【０００７】
しかし、特許文献１の技術では、無線タグは、複数の無線タグリーダのうちで信号送信時期が最も遅い無線タグリーダから信号が送信されてくる可能性がある時点までは、受信可能状態を維持する必要がある。例えば４台の無線タグリーダが存在する場合、無線タグは、そのいずれとも通信可能としなければならないので、１回の受信可能状態とする期間は４台のリーダが送信する期間分確保しなければならない。そのため、１回の受信可能状態の期間が長くなってしまい、それに伴い、受信可能状態を維持することによる電力消費量が多くなってしまう。また、無線タグシステムにおいては、受信可能状態を周期的に繰り返すので、１回の受信可能状態の期間が長くなると、無線タグの電池寿命に大きく影響する。
【０００８】
本発明は、この事情に基づいて成されたものであり、その目的とするところは、受信可能状態の期間を減らすことで無線タグの消費電力を低減することができる無線タグシステムを提供することにある。
【課題を解決するための手段】
【０００９】
その目的を達成するための請求項１記載の発明は、無線タグと、その無線タグと通信をする複数の無線タグリーダとを備え、複数の無線タグリーダは、通信圏が互いに重複するように配置された無線タグシステムであって、複数の無線タグリーダは、無線タグからの信号を受信した場合、複数の無線タグリーダに共通の共通送信期間に、前記無線タグに所定のコマンドを送信する。一方、無線タグは、信号を送信後、共通送信期間に無線タグリーダから送信される可能性があるコマンドを受信できる受信期間を受信可能状態とし、その受信期間に無線タグリーダからコマンドを受信しなかったと判断した場合には受信期間が経過したことに基づいて待機状態とし、その受信期間にコマンドの受信に成功した場合、受信したコマンドに基づく処理を行い、その受信期間に受信した電波が受信エラーであった場合に、その受信エラーを、受信エラーであることに基づいて定まるコマンドとみなし、そのコマンドに基づく処理を行う。
【００１０】
このように、本発明では、複数の無線タグリーダは、無線タグからの信号を受信した場合、共通送信期間にコマンドを送信している。一方、無線タグは、信号を送信後、無線タグリーダが送信するコマンドを受信できるようにするために、受信期間を受信可能状態としている。この受信期間における受信結果としては、次の３種類、すなわち、（１）いずれの無線タグリーダからもコマンドを受信しない、（２）いずれか一つの無線タグリーダからコマンドを受信し、受信成功となる、（３）複数の無線タグリーダがコマンドを送信したことにより受信エラーとなる、という３種類がある。本発明によれば、（１）の場合には待機状態とし、（２）の場合には成功したコマンドに基づく処理を行う。また、（３）の場合には、受信エラーをコマンドとみなし、そのコマンドに基づく処理を行う。従って、いずれの場合にも、追加受信を必要とせずに処理が可能となる。
【００１１】
そして、無線タグリーダがコマンドを送信する期間は、複数の無線タグリーダで共通の共通送信期間であることから、無線タグの受信期間は、複数の無線タグリーダが互いの信号が重ならないように送信する場合の受信期間よりも短い。よって、無線タグの受信期間が短くなるので、消費電力を低減することができる。
【００１２】
特に、無線タグは携帯されるものであることから、複数の無線タグリーダのいずれとも通信ができない位置に存在する場合が非常に長い。よって、受信期間における受信結果としては、いずれの無線タグリーダからもコマンドを受信しない、という結果が非常に多い。それにも関わらず、毎回の受信期間を、無線タグリーダの台数分に対応した長さとする場合には、何もコマンドを受信しないのに、受信可能状態としている無駄な期間が長いことになってしまう。これに対して、本発明によれば、１回の受信期間を短くできるので、いずれの無線タグリーダの通信圏にも存在しないときの無線タグの消費電力を大きく低減できる。
【００１３】
請求項２記載の発明では、無線タグリーダは共通送信期間として、複数の共通送信期間を設定可能に構成している。そして、第１コマンドを指示するときは、最初の共通送信期間で第１コマンドを送信し、他のコマンドを指示するときは、それ以降の共通送信期間でコマンドを送信する。一方、無線タグは、信号を送信後、受信期間を、複数の共通送信期間のそれぞれを受信可能とするための複数スロット分として、受信を行う。そして、最初のスロットで受信した電波が受信エラーであった場合には、その受信エラーを第１コマンドとみなし、第１コマンドに基づく処理を行う。
【００１４】
複数の無線タグリーダが同時にコマンドを送信して信号が衝突してしまうことにより、無線タグでは受信エラーとなることもある。しかし、本発明では、無線タグは、最初のスロットで受信した電波が受信エラーである場合には、その受信エラーを第１コマンドとみなす。この受信エラーを第１コマンドとみなすことができる理由は、無線タグリーダは、最初の共通送信期間で第１コマンドを送信することになっており、無線タグリーダの最初の共通送信期間における送信を、無線タグは最初のスロットで受信する構成としているからである。すなわち、最初のスロットでの受信エラーは、第１コマンドによるものに一義的に定まるからである。受信エラーを第１コマンドとみなすことにより、受信エラーであっても、再受信をすることなく、第１コマンドを受信した場合と同じ処理を行うことができる。また、無線タグは、複数スロット分の受信期間があるので、他方のスロットにより、他のコマンドを受信することもできる。
【００１５】
請求項３記載の発明では、無線タグリーダは、第１コマンドとは別の第２コマンドを指示するときは、２回目の共通送信期間で第２コマンドを送信し、第１コマンド、第２コマンド以外のコマンドを指示するときは、それ以降の共通送信期間でコマンドを送信する。無線タグは、前記第２コマンドに対応する２番目のスロットで受信した電波が受信エラーであった場合には、その受信エラーを第２コマンドとみなし、第２コマンドに基づく処理を行う。
【００１６】
このようにすれば、無線タグは、最初のスロットで受信した電波が受信エラーであった場合、および、２番目のスロットで受信した電波が受信エラーであった場合のいずれの場合にも、再受信をすることなく、第１コマンドあるいは第２コマンドを受信した場合と同じ処理を行うことができる。
【００１７】
請求項４記載の発明では、無線タグは、最初のスロットで受信した電波に基づいてコマンドの受信に成功した場合、２番目以降のスロット以降を受信することなく、受信可能状態を終了する。
【００１８】
このようにすれば、最初のスロットで受信に成功した場合には、最初のスロットのみで受信可能状態を終了することになるので、一層、受信期間を短くすることができる。なお、この場合、無線タグリーダは、優先順位の高いコマンドほど先の共通送信期間で送信することが好ましい。なお、複数のコマンドのうちどのコマンドの優先順位が最も高いかは、それら複数のコマンドを無線タグが同じ受信期間内に受信したときに、無線タグがどれを優先させる設定となっているかで決定する。
【００１９】
請求項５記載の発明では、無線タグリーダは、共通送信期間として、２つの共通送信期間を設定可能に構成し、第1コマンドとは別の第２コマンドを指示するときは、２回目の共通送信期間で第２コマンドを送信する。無線タグは、信号を送信後、受信期間を２スロット分として、受信を行い、２番目のスロットで受信した電波が受信エラーであった場合には、前記無線タグリーダに、コマンドの再送信を要求する信号を送信する。無線タグリーダは、コマンドの再送信を要求する信号を受信した場合、無線タグリーダ毎に異なる予め設定されたスロットで前記他のコマンドを再送する。そして、無線タグは、複数の無線タグリーダの全てからコマンドが受信できる期間だけ受信可能状態とする。
【００２０】
このようにすれば、他のコマンドについては、コマンの再送信を要求する信号した後の受信により、確実に受信することができる。加えて、複数の無線タグリーダの全てからコマンドが受信できる期間だけ受信可能状態とするのは、２番目のスロットで受信した電波が受信エラーであった場合に限られる。よって、毎回、複数の無線タグリーダの全てからコマンドが受信できる期間だけ受信可能状態とする場合よりも、消費電力を低減することもできる。
【００２１】
請求項６記載の発明では、無線タグリーダは、共通送信期間として、２つの共通送信期間を設定可能に構成し、当該無線タグリーダとの間で無線タグが通信可能な範囲であって、その範囲に含まれる警戒圏内を除いた範囲を通信圏内とし、無線タグが警戒圏内に位置しているか否かを判断するタグ位置判断手段を備える。このタグ位置判断手段により無線タグが警戒圏内にいると判断した場合であって、無線タグからの信号を受信した場合には、最初のスロットにて、無線タグに警戒圏内であることを示す警戒圏内コマンドを送信する。無線タグは、通信圏内または警戒圏内であると判断している状態では、信号を送信後、前記受信期間を２スロット分として受信を行う。そして、通信圏内であると判断している状態において、警戒圏内コマンドを受信した場合、または、最初のスロットで受信した電波が受信エラーであった場合には、警戒圏内へ移動したと判断し、信号送信間隔を、通信圏内のときよりも短くすること、および、信号の１回の送信時間を通信圏内のときの送信時間よりも長くすることのいずれか少なくとも一方を行う。
【００２２】
この発明では、無線タグは、最初のスロットでの受信エラーを、最初のスロットで受信するコマンドである警戒圏内コマンドとみなしている。このようにすれば、１回の受信期間を２スロット分のみとして、通信圏内から警戒圏内へ移動したか否かを判断することができる。よって、１回の受信期間を短くできる。また、警戒圏内と判断しているときは、通信圏内と判断しているときよりも信号送信間隔を短くすること、および、信号の１回の送信時間を通信圏内のときの送信時間よりも長くすることのいずれか少なくとも一方を行う。換言すれば、通信圏内と判断しているときは、警戒圏内と判断している場合よりも信号送信間隔を長くすること、および、信号の１回の送信時間を長くすることのいずれか少なくとも一方を行うことになる。信号送信間隔が長くなれば、複数回の信号送信を含むある期間内の合計の通信時間が短くなり、また、１回の送信時間が短くなっても、その合計の通信時間が短くなる。
【００２３】
請求項７記載の発明では、無線タグリーダは、タグ位置判断手段により無線タグが警戒圏内にいないと判断した場合であって、無線タグからの信号を受信した場合には、２番目のスロットにて、無線タグに通信圏内であることを示す通信圏内コマンドを送信する。無線タグは、警戒圏内であると判断している状態において、警戒圏内コマンドを受信せず、且つ、最初のスロットで受信した電波が受信エラーでなく、さらに、通信圏内コマンドを受信した場合、または、２番目のスロットで受信した電波が受信エラーであった場合には、通信圏内へ移動したと判断し、信号送信間隔を、警戒圏内のときよりも長くすること、および、信号の１回の送信時間を警戒圏内のときの送信時間よりも短くすることのいずれか少なくとも一方を行う。
【００２４】
この発明では、無線タグは、２番目のスロットでの受信エラーを、２番目のスロットで受信するコマンドである通信圏内コマンドとみなしている。このようにすれば、１回の受信期間を２スロット分のみとして、警戒圏内から通信圏内へ移動したか否かを判断することができる。よって、１回の受信期間を短くできる。また、通信圏内と判断しているときは、警戒圏内と判断している場合よりも信号送信間隔を長くすること、および、信号の１回の送信時間を警戒圏内のときの送信時間よりも短くすることのいずれか少なくとも一方を行う。これによっても、複数回の信号送信を含むある期間内の合計の通信時間が短くなる。
【００２５】
請求項８記載の発明では、無線タグは、複数の無線タグリーダのいずれとも通信を行うことができないことに基づいて通信圏外と判断し、通信圏外であると判断している状態では、通信圏外であると判断している場合に送信する通信圏外時信号を送信後、前記受信期間を１スロット分として受信を行う。無線タグリーダは、無線タグから通信圏外時信号を受信した場合には、無線タグに、通信圏内に入ったことを通知するために、通信圏内であることを示す通信圏内コマンドを最初の共通送信期間に送信する。そして、無線タグは、通信圏外であると判断している状態において、通信圏内コマンドを受信した場合、または、受信した電波が受信エラーであった場合には、通信圏内へ移動したと判断し、信号送信間隔を、通信圏外のときよりも短くすること、および、信号の１回の送信時間を通信圏外のときよりも長くすることのいずれか少なくとも一方を行う。
【００２６】
この発明では、無線タグは、受信エラーを、受信成功した場合と同じ通信圏内コマンドとみなしている。このようにすれば、通信圏外と判断しているときは、無線タグは、１回の受信期間を１スロット分のみとして、通信圏内へ入ったか否かを判断することができる。よって、通信圏外と判断しているときは１回の受信期間を特に短くでき、既に述べたように、無線タグは通信圏外に存在する場合が非常に長い。よって、この構成により、無線タグの消費電力を大きく低減できる。また、通信圏内と判断しているときは、通信圏外と判断しているときよりも信号送信間隔を短くすること、および、信号の１回の送信時間を通信圏外のときよりも長くすることのいずれか少なくとも一方を行う。換言すれば、通信圏外と判断しているときは、通信圏内と判断している場合よりも信号送信間隔を長くすること、および、信号の１回の送信時間を短くすることのいずれか少なくとも一方を行うことになる。これによっても複数回の信号送信を含むある期間内の合計の通信時間が短くなる。
【００２７】
請求項９記載の発明では、無線タグは、通信圏内であると判断しているときであって、最初のスロット、２番目のスロットともに、無線タグリーダからの信号を受信しなかったと判断した場合には、通信圏外へ移動したと判断し、信号送信間隔を、通信圏内のときよりも長くする。
【００２８】
このように、通信圏外と判断しているときは、通信圏内と判断している場合よりも信号送信間隔を長くするので、複数回の信号送信を含むある期間内の合計の通信時間を短くできる。
【００２９】
タグ位置判断手段は、請求項１０のように、無線タグからの電波の受信強度に基づいて、無線タグが前記警戒圏内に位置しているか否かを判断することができる。また、請求項１１のように、通信圏内から警戒圏内へ、および、警戒圏内から通信圏内への物体の移動を検知する物体検知手段を備え、タグ位置判断手段は、物体検知手段の検知結果に基づいて、無線タグが警戒圏内に位置しているか否かを判断するようにしてもよい。
【図面の簡単な説明】
【００３０】
【図１】無線タグシステム１のシステム構成の一例を示す図である。
【図２】無線タグリーダ１００の配置と、各無線タグリーダ１００の通信圏１０１、警戒１０２を例示する図である。
【図３】無線タグリーダ１００の構成を示す図である。
【図４】無線タグリーダ２００が送信するコマンドと、受信信号との関係を示す図である。
【図５】無線タグ２００の構成を示す図である。
【図６】無線タグ２００の状態遷移図であり、無線タグの状態（タグ位置のエリア）と状態遷移条件を示す図である。
【図７】無線タグ２００の位置するエリアと、受信結果とに基づいて判断する移動後エリアを示す図である。
【図８】無線タグ２００と、無線タグリーダ１００Ａ〜Ｄの通信シーケンスを例示する図である。
【発明を実施するための形態】
【００３１】
以下、本発明の実施形態を図面に基づいて説明する。図１は、本発明の無線タグシステム１のシステム構成の一例である。図に示すように、無線タグシステム１は、複数台（ここでは４台）の無線タグリーダ１００Ａ、１００Ｂ、１００Ｃ、１００Ｄと、無線タグ２００とを備えている。なお、図１には１つの無線タグ２００を示しているが、無線タグ２００も複数であってもよい。また、無線タグシステム１は、複数台の無線タグリーダ１００を制御するコントローラ３００（図３参照）も備えている。
【００３２】
図２は、無線タグリーダ１００の配置と、各無線タグリーダ１００の通信圏１０１、警戒圏１０２を例示する図である。無線タグシステム１は、人に無線タグ２００を携帯させ、無線タグ２００を検出することにより、ある監視領域（たとえば、家の敷地およびその周辺）における人の存在を検出するシステムである。そのため、複数の無線タグリーダ１００Ａ〜Ｄの通信圏１０１Ａ〜Ｄにより形成される全体の通信圏は、その監視領域を漏れなくカバーする必要がある。しかも、監視領域の中心となる敷地は、矩形等、多角形が多いのに対して、各無線タグリーダ１００Ａ〜Ｄの通信圏１０１Ａ〜Ｄは各無線タグリーダを中心にした形状である。これらのことから、各無線タグリーダ１００Ａ〜Ｄの通信圏１０１Ａ〜Ｄが他の無線タグリーダ１００Ａ〜Ｄの通信圏１０１Ａ〜Ｄと部分的に重複するように、各無線タグリーダ１００Ａ〜Ｄは配置されている。
【００３３】
さらに、各通信圏１０１Ａ〜Ｄの内側には警戒圏１０２Ａ〜Ｄが設定されている。本実施形態の警戒圏１０２Ａ〜Ｄは、各無線タグリーダ１００Ａ〜Ｄの警戒圏１０２Ａ〜Ｄをまとめた全体の警戒圏により、家の敷地がほぼカバーできる大きさの円となっている。
【００３４】
また、本無線タグシステム１は、システム全体の通信圏内と警戒圏内との境界付近の物体の移動を検知する侵入検知センサ（図示せず）を備えている。この侵入検知センサは、監視カメラ、赤外線センサ等を用いた周知の侵入検知センサである。侵入検知センサは後述のコントローラ３００に接続されており、このコントローラ３００を介して、侵入検知センサによる検知結果（通信圏内から警戒圏内へ物体が移動したこと、あるいは、逆に、警戒圏内から通信圏内へ物体が移動したこと）は、無線タグリーダ２００に通知される。なお、侵入検知センサは、特許請求の範囲の物体検知手段に相当する。
【００３５】
図３は、無線タグリーダ１００の構成を示す図である。図３に示すように、無線タグリーダ１００は、制御部１１０、送信部１２０、受信部１３０、アンテナ１４０を備えている。制御部１１０は、外部へ無線送信させる情報を送信部１２０へ送るとともに、アンテナ１４０によって受信され受信部１３０によって復調・復号された情報をその受信部１３０から取得する。また、制御部１１０は、内部にメモリ１１１とタイマ１１２とを備えている。メモリ１１１には、この無線タグリーダ１００のＩＤなどが記憶されている。
【００３６】
送信部１２０は、符号部１２１、変調部１２２、増幅部１２３を備えている。符号部１２１は、制御部１１０から供給されたリーダデータを符号化する。このリーダデータは、通信圏内コマンドあるいは警戒圏内コマンドを含んでいる。符号部１２１は、符号化したリーダデータを変調部１２２へ出力する。なお、通信圏内コマンド、警戒圏内コマンドは、それぞれ、特許請求の範囲の第２コマンド、第１コマンドに相当する。
【００３７】
変調部１２２は、符号部１２１にて符号化されたリーダデータを電気的デジタル信号に変換した後に、予め設定されている通信チャンネルを用いて位相偏移変調や周波数偏移変調等の所定の変調方式により変調する。増幅部１２３は、変調部１２２で変調されたリーダデータを増幅する。増幅されたリーダデータは、アンテナ１４０から電波として送信される。
【００３８】
また、アンテナ１４０は、無線タグ２００から送信された電波を受信する。受信した電波は復調部１３１において復調される。復調された信号は復号部１３２において符号化され、符号化された信号が制御部１１０に送られる。
【００３９】
前述の制御部１１０は、特許請求の範囲のタグ位置判断手段としても機能し、無線タグ２００からの電波を受信したときは、無線タグ２００からの電波の受信強度、および、侵入検知センサの検知結果を用いて、自身の警戒圏内に無線タグ２００が位置しているか否かを判断する。
【００４０】
詳しくは、侵入検知センサから、物体が、システム全体の通信圏内から警戒圏内へ移動したことを示す信号を取得するまでは、無線タグ２００からの電波を受信すれば、無線タグ２００は自身の受信圏内に位置していると判断する。一方、侵入検知センサから、物体が、システム全体の通信圏内から警戒圏内へ移動したことを示す信号を取得した以降は次の判断を行う。すなわち、無線タグ２００からの電波の受信強度が所定の強度以上であるか否かを判断し、所定の強度以上であれば、無線タグ２００は、自身の警戒圏内に位置していると判断する。この判断は、侵入検知センサから、物体がシステム全体の警戒圏を出たとの検知結果を取得するまで逐次行う。その後は、無線タグ２００からの電波を受信すれば、無線タグ２００は自身の受信圏内に位置していると判断する。
【００４１】
制御部１１０は、さらに、上記のようにして判断した無線タグ２００の位置と、無線タグ２００から受信した信号に応じて定まるコマンドを、固定送信期間に無線タグ２００へ送信する。なお、固定送信期間は、全ての無線タグリーダ１００に共通であり、図４に示すように、第１スロット（最初の固定送信期間）、第２スロット（２回目の固定送信期間）の２つの期間からなる。また、固定送信期間は、無線タグ２００から信号を受信した時点を基準として定まる期間である。この固定送信期間は特許請求の範囲の共通送信期間に相当する。なお、スロットとは、時分割通信方式における分割単位時間である。
【００４２】
コントローラ３００は、各無線タグリーダ１００が無線タグ２００から受信した位置通知信号の受信強度や、どの無線タグリーダ１００が位置通知信号を送信したかなどに基づいて、無線タグ２００の位置を特定する。
【００４３】
図４は、無線タグリーダ２００が送信するコマンドと、そのコマンドの送信条件である受信信号およびタグ位置との関係を示す図である。無線タグリーダ１００は、無線タグ２００からの信号を受信していないときは、何も信号を送信しない。トリガ信号を受信したときは、第１スロットを使用して通信圏内コマンドを送信する。応答すべきＩＤ信号（登録済みのＩＤを示す信号）を受信したときであって、タグ位置が通信圏内であると判断したときは、第２スロットを使用して、通信圏内コマンドを送信する。応答すべきＩＤ信号を受信したときであって、タグ位置が警戒圏内であると判断したときは、第１スロットを使用して、警戒圏内コマンドを送信する。位置通知信号を受信したときであって、タグ位置が通信圏内であると判断したときは、第２スロットを使用して、通信圏内コマンドを送信する。位置通知信号を受信したときであって、タグ位置が警戒圏内であると判断したときは、第１スロットを使用して、警戒圏内コマンドを送信する。
【００４４】
図５は、無線タグ２００の構成を示す図である。無線タグ２００は、アクティブ方式の無線タグであり、内蔵電源２１０を備えている。この内蔵電源２１０の他に、無線タグ２００は、送信部２２０、受信部２３０、アンテナ２４０、振動センサ２５０、制御部２６０を備えており、内蔵電源２１０は、これらに電源を供給する。
【００４５】
送信部２２０は、符号部２２１、変調部２２２、増幅部２２３を備えている。符号部２２１は制御部２６０から送信される情報を符号化して変調部２２２に送る。変調部２２２は、符号部２２１からの符号を、たとえば、振幅変位変調などの変調方式により変調する。増幅部２２３は、変調部２２２が変調した信号を増幅して、アンテナ２４０から送信させる。
【００４６】
受信部２３０は、アンテナ２４０が受信した電波を復調する復調部２３１と、復調部２３１が復調した信号を復号する復号部２３２とを備えている。復号部２３２は、復号した信号を制御部２６０へ供給する。
【００４７】
振動センサ２５０は、導通状態が機械的に変化するセンサであり、振動のない状態ではオンとなり、振動がある状態ではオフとなる。この振動センサ２５０のオンオフの状態は制御部２６０に入力される。
【００４８】
制御部２６０は、送信部２２０および受信部２３０を制御する。また、制御部２６０は、タイマ２６１、メモリ２６２を備えている。タイマ２６１は、クロック発振器（図示せず）のクロックを計数することで計時を行う。この制御部２６０は、振動センサ２５０からのオン信号が入力されることによりスリープ状態から起動状態へ移行し、その信号が入力されてから一定時間は起動状態を維持する。起動状態では、次に説明する送信頻度で、次に説明する信号を送信する。また、信号を送信後、内蔵電源２１０から受信部２３０に電源を供給させて受信可能状態とする。受信可能状態とする期間（以下、受信期間）、は、前述の固定送信期間に無線タグリーダ１００から送信される可能性がある伝送データを受信できる期間である。従って、受信期間の開始時点は、自身の信号送信時点を基準として定まり、また、受信期間の長さは１スロット分あるいは２スロット分である。１スロット分であるか２スロット分であるかは、無線タグ２００の位置するエリアにより定まる。受信期間が終了した場合には、即座に、受信部２３０への電源の供給を終了する。
【００４９】
図６は、無線タグ２００の送信頻度、送信データ、受信スロット数と、無線タグの位置するエリアとの関係、および、エリアが移動したと無線タグ２００が判断する判断条件とを示す図である。
【００５０】
無線タグ２００は、通信圏外に位置していると判断している状態では、送信頻度を２秒に１回としてトリガ信号を送信する。このトリガ信号は、特許請求の範囲の通信圏外時信号に相当する。なお、このトリガ信号にはＩＤも含めず、データ長がＩＤ信号よりも短い信号とする。これにより、通信圏外に位置しているときの通信時間を短くすることができる。また、受信スロット数を１スロット分として受信を行う。通信圏外に位置していると判断している状態で、通信圏内コマンドを受信した場合、あるいは、受信エラーと判断した場合には、通信圏内に移動したと判断する。一方、いずれの無線タグリーダ１００からの信号も受信しなかった場合、および規定のコマンド以外を受信した場合には、通信圏外であるとの判断を継続する。なお、受信エラーとは、復号部２３２から供給される信号から、最初のコマンドなど一部のコマンドや、一部のコードは認識できたが、全部を認識することはできなかった場合である。
【００５１】
通信圏内に位置していると判断している状態では、送信頻度を０．５秒に１回とする。また、送信する信号はＩＤ信号とする。また、受信スロット数を２スロット分として受信を行う。ただし、１スロット目でコマンドを受信できた場合には、２スロット目の受信は不要であることから、２スロット目の受信は行わない。通信圏内に位置していると判断している状態で、警戒圏内コマンドを受信した場合、あるいは、第１スロットで受信エラーが起きたと判断した場合には、警戒圏内に移動したと判断する。また、第１スロット、第２スロットともに受信がなかった場合には、通信圏外に移動したと判断する。
【００５２】
警戒圏内に位置していると判断している状態では、送信頻度を０．２秒に１回とする。また、送信する信号は位置通知信号とする。位置通知信号は、信号送信位置を特定しやすくするために、データ長をＩＤ信号よりもさらに長くした信号である。また、警戒圏内に位置していると判断しているときも、受信スロット数を２スロット分として受信を行う。ただし、１スロット目でコマンドを受信できた場合には、２スロット目の受信は行わない。
【００５３】
警戒圏内に位置していると判断している状態で、警戒圏内への移動を判断したときと同じ条件が成立した場合には、警戒圏内に位置しているとの判断を継続する。一方、通信圏内コマンドを受信した場合、あるいは、第２スロットで受信エラーが起きたと判断した場合には、通信圏内に移動したと判断する。なお、通信圏内に位置していると判断している状態においても、警戒圏内から通信圏内への移動を判断したときと同じ条件が成立した場合には、通信圏内に位置しているとの判断を継続する。
【００５４】
図７は、無線タグ２００の位置するエリアと、受信結果とに基づいて判断する移動後エリアを示す図である。受信が成功し、無線タグリーダ１００から通信圏内コマンドを受信できた場合、無線タグ２００は、通信圏内に位置していると判断する。よって、それまでは通信圏外に位置していると判断している場合、矢印Ａの移動があったと判断し、それまでは警戒圏内に位置していていると判断している場合、矢印Ｂの移動があったと判断する。
【００５５】
また、受信が成功し、無線タグリーダ１００から警戒圏内コマンドを受信できた場合、無線タグ２００は、警戒圏内に位置していると判断する。よって、それまでは通信圏内に位置していると判断している場合、矢印Ｃの移動があったと判断する。なお、通信圏外に位置していると判断している場合に警戒圏内コマンドを受信することはないので、図７では斜線としている。
【００５６】
一方、第１スロットが受信エラーとなった場合であって、それまでは通信圏外に位置していると判断している場合には、その受信エラーを通信圏内コマンドとみなし、矢印Ｄの移動があったと判断する。なお、通信圏外に位置している場合、前述のように、第１スロットのみで受信を行い、第２スロットでは受信を行わない。
【００５７】
また、第１スロットが受信エラーとなった場合であって、それまでは通信圏内に位置していると判断している場合には、その受信エラーを警戒圏内コマンドとみなし、矢印Ｅの移動があったと判断する。また、第２スロットが受信エラーとなった場合であって、それまでは警戒圏内に位置していると判断している場合には、その受信エラーを通信圏内コマンドとみなし、矢印Ｆの移動があったと判断する。
【００５８】
図８は、無線タグ２００と、無線タグリーダ１００Ａ〜Ｄの通信シーケンスを例示する図である。この図８に基づいて、無線タグ２００、無線タグリーダ１００の送受信を説明する。なお、この図８において、タグは無線タグ２００を意味し、リーダＡ〜Ｄはそれぞれ無線タグリーダ１００Ａ〜Ｄを意味する。
【００５９】
無線タグ２００は通信圏外に位置していると判断しているときは、２秒に１回の送信頻度でトリガ信号を送信する（ｔ１時点）。無線タグ２００が、どの無線タグリーダ１００の通信圏１０１にも入っていないときは、トリガ信号を送信しても、無線タグリーダ２００からの信号の送信はない（ｔ２時点）。次の送信時点（ｔ３時点）では、無線タグ２００は無線タグリーダ１００Ａの通信圏１０１Ａであって、他の無線タグリーダ１００Ｂ〜Ｄの通信圏Ｃ〜Ｄではない範囲に位置しているとする。この場合、トリガ信号は無線タグリーダ１００Ａのみに受信される。無線タグリーダ１００Ａは、トリガ信号を受信したことにより、そのトリガ信号の受信時点に基づいて定まる送信時点に通信圏内コマンドを無線タグ２００に送信し、この通信圏内コマンドが無線タグ２００に受信される（ｔ４時点）。通信圏内コマンドを受信したことにより、無線タグ２００は通信圏内に入ったと判断し、送信頻度を０．５秒に１回に変更する。
【００６０】
そして、前回の送信時点から０．５秒経過した時点で、送信信号をトリガ信号からＩＤ信号に変更して送信を行う（ｔ５時点）。ｔ５時点で送信したＩＤ信号は、２台の無線タグリーダ１００Ａ、１００Ｂに受信されるとする。ＩＤ信号を受信した２台の無線タグリーダ１００Ａ、１００Ｂは、無線タグ２００が自身の警戒圏内に位置しているか否かを判断する。詳しくは、侵入検知センサから、システム全体の警戒圏内に物体が侵入したとの検知結果を取得していなければ、無線タグ２００は、通信圏内に位置していると判断する。判断の結果、どちらの無線タグリーダ１００Ａ、１００Ｂも、無線タグ２００は、通信圏内であると判断したとする。この場合、両無線タグリーダ１００Ａ、１００Ｂは、ともに、第１スロットには何も送信せず、第２スロットで通信圏内コマンドを送信する（ｔ６時点）。その結果、無線タグ２００は、第２スロットで受信エラーが生じる（ｔ６時点）。
【００６１】
無線タグ２００は、通信圏内に位置していると判断している状態で、第２スロットで受信エラーが生じると、その受信エラーを通信圏内コマンドとみなす。よって、無線タグ２００は、通信圏内に位置しているとの判断を継続し、前回の信号送信時点から０．５秒後に、再び、ＩＤ信号を送信する（ｔ７時点）。ｔ７時点で送信したＩＤ信号は、３台の無線タグリーダ１００Ａ、１００Ｂ、１００Ｃに受信されるとする。この場合、これら３台の無線タグリーダ１００Ａ、１００Ｂ、１００Ｃは、侵入検知センサからの検知結果と、ＩＤ信号の受信強度により、無線タグ２００が自身の警戒圏内に位置しているか否かを判断する。判断の結果、無線タグリーダ１００Ａは、無線タグ２００は自身の警戒圏内であると判断し、他の無線タグリーダ１００Ｂ、１００Ｃは、無線タグ２００は通信圏内であると判断したとする。その結果、無線タグリーダ１００Ａは、第１スロットにて警戒圏内コマンドを送信し、無線タグ２００は、第１スロットでその警戒圏内コマンドを受信する（ｔ８時点）。また、無線タグリーダ１００Ｂ、１００Ｃは、第２スロットにて通信圏内コマンドを送信するが（ｔ９時点）、無線タグ２００は、第１スロットが受信成功となることにより、第２スロットの受信は行わない。
【００６２】
警戒圏内コマンドを受信したことにより、無線タグ２００は警戒圏内に移動したと判断し、送信頻度を０．２秒に１回に変更する。そして、前回の送信時点から０．２秒経過した時点で、送信信号をＩＤ信号から位置通知信号に変更して送信を行う（ｔ１０時点）。
【００６３】
ｔ１０時点で送信した位置通知信号は、全ての無線タグリーダ１００〜Ｄに受信されるとする。この場合、各無線タグリーダ１００Ａ〜Ｄは、位置通知信号の受信強度により、無線タグ２００が自身の警戒圏内に位置しているか否かを判断する。判断の結果、この例では、無線タグリーダ１００Ａ、１００Ｂは、無線タグ２００が自身の警戒圏内に位置していると判断し、残りの無線タグリーダ１００Ｃ、１００Ｄは、無線タグ２００が通信圏内に位置していると判断する。よって、無線タグリーダ１００Ａ、１００Ｂは、第１スロットで警戒圏内コマンドを送信し、その結果、無線タグ２００は、第１スロットで受信エラーが生じる（ｔ１１時点）。
【００６４】
無線タグ２００は、警戒圏内に位置していると判断している状態で、第１スロットで受信エラーが生じると、その受信エラーを警戒圏内コマンドとみなす。よって、無線タグ２００は、警戒圏内に位置しているとの判断を継続する。なお、無線タグリーダ１００Ｃ、１００Ｄは、第２スロットにて通信圏内コマンドを送信するが（ｔ１２時点）、無線タグ２００は、第１スロットが受信エラーとなった場合、第２スロットの受信は行わない。
【００６５】
無線タグ２００は、再度、前回の信号送信時点から０．２秒後に、位置通知信号を送信する（ｔ１３時点）。ｔ１０時点で送信した位置通知信号も、全ての無線タグリーダ１００〜Ｄに受信されるとする。この場合、各無線タグリーダ１００Ａ〜Ｄは、位置通知信号の受信強度により、無線タグ２００が自身の警戒圏内に位置しているか否かを再度判断する。判断の結果、今度は、全ての無線タグリーダ１００Ａ〜Ｄが、無線タグ２００は通信圏内に位置していると判断したとする。その場合、全ての無線タグリーダ１００Ａ〜Ｄが、第２スロットで通信圏内コマンドを送信し、その結果、無線タグ２００は、第１スロットでは受信がなく、第２スロットで受信エラーが生じる（ｔ１４時点）。
【００６６】
警戒圏内に位置していると判断している状態で、第２スロットで受信エラーが生じたことから、無線タグ２００は、通信圏内に移動したと判断して、通信頻度を０．５秒に１回に変更する。
【００６７】
以上、説明した本実施形態によれば、全ての無線タグリーダ１００Ａ〜１００Ｄは、無線タグ２００から信号を受信した場合、同じ固定送信期間（第１スロット、第２スロットのいずれか）にコマンドを送信している。一方、無線タグ２００は、信号（トリガ信号、ＩＤ信号、位置通知信号）を送信後、無線タグリーダ１００が送信するコマンドを受信できる受信期間を受信可能状態としている。この受信期間における受信結果としては、次の３種類、すなわち、（１）いずれの無線タグリーダ１００からもコマンドを受信しない、（２）いずれか一つの無線タグリーダ１００からコマンドを受信し、受信成功となる、（３）複数の無線タグリーダ１００がコマンドを送信したことにより受信エラーとなる、という３種類がある。本実施形態によれば、（１）の場合には待機状態とし、（２）の場合には成功したコマンドに基づく処理を行う。また、（３）の場合には、受信エラーをコマンドとみなし、そのコマンドに基づく処理を行う。従って、いずれの場合にも、追加受信を必要とせずに処理が可能となる。
【００６８】
そして、無線タグリーダ１００がコマンドを送信する期間は、全ての無線タグリーダ１００に共通の２スロットあるいは１スロット分の期間であることから、無線タグ２００の受信期間も２スロットあるいは１スロット分とすることができる。２スロットあるいは１スロット分であることから、４台の無線タグリーダ１００が互いの信号が重ならないように送信する場合の受信期間よりも短い。よって、無線タグ２００の受信期間を短くできるので、消費電力を低減することができる。
【００６９】
また、本実施形態によれば、無線タグリーダ１００は、無線タグ２００が通信圏内、警戒圏内に位置していると判断しているときであって、警戒圏内コマンドを送信するときは第１スロットを用い、通信圏内コマンドを送信するときは第２スロットを用いる。一方、無線タグ２００は、通信圏内または警戒圏内に位置していると判断しているときは受信期間を２スロット分としており、第１スロットで受信した電波が受信エラーである場合には、その受信エラーを、第１スロットで送信されるはずの警戒圏内コマンドであるとみなす。また、第２スロットで受信した電波が受信エラーである場合には、その受信エラーを、第２スロットで送信されるはずの通信圏内コマンドであるとみなす。よって、受信エラーであっても、再受信をすることなく、警戒圏内コマンド、通信圏内コマンドに基づく処理を行うことができる。
【００７０】
また、本実施形態によれば、無線タグ２００は、通信圏外に位置していると判断しているときは、受信期間を１スロット分としており、受信した電波が受信エラーである場合には、その受信エラーを通信圏内コマンドであるとみなす。よって、受信エラーであっても、再受信をすることなく、通信圏内コマンドに基づく処理を行うことができる。しかも、受信期間を１スロット分としていることから、通信圏外に位置しているときは、１回の受信期間が特に短い。しかも、無線タグ２００は、人に携帯されるものであることから、通信圏外に位置する場合が非常に長い。よって、通信圏外に位置しているときの１回の受信期間を特に短くできることにより、無線タグ２００の消費電力を大きく低減することができる。
【００７１】
また、本実施形態では、無線タグ２００は、通信圏内と判断しているときは、警戒圏内と判断している場合よりも信号送信間隔を長くしており、通信圏外と判断しているときは、通信圏内と判断しているときよりもさらに信号送信間隔を長くしている。このように、短い送信間隔で送信する必要がない場合には信号送信間隔を長くしているので、通信時間を短くできる。
【００７２】
また、本実施形態では、無線タグ２００は、通信圏内と判断しているときに送信するＩＤ信号は、警戒圏内と判断しているときに送信する位置通知信号よりも１回の送信時間が短く、通信圏外と判断しているときに送信するトリガ信号は、通信圏内と判断しているときに送信するＩＤ信号よりもさらに１回の送信時間が短い。これによっても、無線タグ２００の存在する位置によらず、同じ長さの送信時間を必要とする信号を送信してしまう場合に比較して、通信時間を短くすることができる。
【００７３】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００７４】
たとえば、前述の実施形態では、侵入検知センサから、物体が、システム全体の通信圏内から警戒圏内へ入ったことを示す信号を取得したことにより、無線タグリーダ１００は、受信強度に基づいて、無線タグ２００が自身の警戒圏内に位置しているか否かの判断を行っていた。しかし、受信強度に基づく判断を、無線タグ２００が通信圏内または警戒圏内に位置していると判断している間、継続して行ってもよい。また、前述の侵入検知センサに代えて、各無線タグリーダ１００の警戒圏１０２の境界（あるいはその付近）を物体が越えたことを検知するセンサを設けることにしてもよい。このようにすれば、受信強度に基づく判断は不要になる。
【００７５】
また、前述の実施形態では、無線タグ２００は、第１スロットが受信エラーとなった場合だけでなく、第２スロットが受信エラーとなった場合にも、その受信エラーをコマンドとみなしていた。しかし、これに代えて、第２スロットが受信エラーとなった場合、コマンの再送信を要求する信号を無線タグリーダ１００に送信してもよい。この信号を受信した無線タグリーダは、今度は、無線タグリーダ１００毎に異なる予め設定されたスロットでコマンドを再送信する。また、無線タグ２００は、無線タグリーダ１００の数分のスロット数の受信を行う。このようにすれば、無線タグ２００は、コマンの再送信を要求する信号した後の受信により、確実に、コマンドを受信することができる。加えて、無線タグリーダ１００の数分のスロット数の受信を行うのは、第２スロットが受信エラーであった場合に限られる。よって、毎回、無線タグリーダ１００の数分のスロット数の受信を行う場合よりも、消費電力を低減することもできる。
【００７６】
また、前述の実施形態では、無線タグリーダ１００は４台設置されていたが、無線タグリーダ１００の複数であればよい。また、それら複数の無線タグリーダ１００が送信に用いるスロット数は、無線タグリーダ１００の設置数よりも少ないスロット数であればよい。また、スロット数が３つ以上である場合には、第１コマンド、第２コマンド以外のコマンドを３つ目以降のスロットで送信するようにしてもよい。
【符号の説明】
【００７７】
１：無線タグシステム、      １００：無線タグリーダ、      １０１：通信圏、      １０２：警戒圏、      １１０：制御部、      １１１：メモリ、      １１２：タイマ、      １２０：送信部、      １２１：符号部、      １２２：変調部、      １２３：増幅部、      １３０：受信部、      １３１：復調部、      １３２：復号部、      １４０：アンテナ、      ２００：無線タグ、      ２１０：内蔵電源、      ２２０：送信部、      ２２１：符号部、      ２２２：変調部、      ２２３：増幅部、      ２３０：受信部、      ２３１：復調部、      ２３２：復号部、      ２４０：アンテナ、      ２５０：振動センサ、      ２６０：制御部、      ２６１：タイマ、      ２６２：メモリ、      ３００：コントローラ
【図１】
0005516477.tif 000002
【図２】
0005516477.tif 000003
【図３】
0005516477.tif 000004
【図４】
0005516477.tif 000005
【図５】
0005516477.tif 000006
【図６】
0005516477.tif 000007
【図７】
0005516477.tif 000008
【図８】
0005516477.tif 000009